(57)【要約】【課題】電子機器の筐体への着脱を容易に実施できる電子機器筐体用カバー、および、プロジェクタを提供する。【解決手段】電子機器筐体用カバーとしてのカバー部材８は、電子機器の筐体としての外装ケースの投写方向背面に取り付けられ、該背面に露出するコネクタ群を覆う。このカバー部材８は、カバー本体８１と、係合部材８２と、付勢部材としてのコイルばね８３とを備えている。カバー本体８１は、コネクタ群に接続される接続ケーブルが挿通される挿通部としての切り欠き８１４Ａを有し、一方の端面が開口する箱状に形成されている。係合部材８２は、カバー本体８１内部に回動自在に設けられ、外装ケースと係合する。コイルばね８３は、係合部材８２を外装ケースへの係合方向に付勢する。【選択図】  図１０
2004207400.tif 000002
【特許請求の範囲】
【請求項１】
外部と接続する接続端子が露出する電子機器筐体に取り付けられ、前記接続端子を覆う電子機器筐体用カバーであって、
前記接続端子に接続される接続ケーブルが挿通される挿通部を有し、一方の端面が開口する箱状のカバー本体と、
このカバー本体内部に回動自在に設けられ、前記電子機器筐体と係合する係合部材と、
この係合部材を前記電子機器筐体への係合方向に付勢する付勢部材とを備えていることを特徴とする電子機器筐体用カバー。
【請求項２】
請求項１に記載の電子機器筐体用カバーにおいて、
前記係合部材は、前記電子機器筐体と係合するフックと、前記カバー本体外部に露出し、前記フックと前記電子機器筐体との係合状態を解除するレバーとを備えていることを特徴とする電子機器筐体用カバー。
【請求項３】
請求項１または請求項２に記載の電子機器筐体用カバーにおいて、
前記係合部材は、前記カバー本体の開口部分の一方の辺縁に設けられ、
前記カバー本体は、前記係合部材の配置位置に対向する辺縁に、前記電子機器筐体と係合する係合片が形成されていることを特徴とする電子機器筐体用カバー。
【請求項４】
請求項１から請求項３のいずれかに記載の電子機器筐体用カバーにおいて、
前記カバー本体は、一方の開口端面から他方の端面に向かうに従って断面積が次第に小さくなる断面を有することを特徴とする電子機器筐体用カバー。
【請求項５】
請求項１から請求項４のいずれかに記載の電子機器筐体用カバーにおいて、
前記電子機器筐体には、当該電子機器筐体用カバーの設置面に、外部から所定の情報を取得する情報取得部が形成され、
前記カバー本体には、前記電子機器筐体に取り付けた際に、前記情報取得部をカバーする凹部が形成されていることを特徴とする電子機器筐体用カバー。
【請求項６】
請求項１から請求項５のいずれかに記載の電子機器筐体用カバーにおいて、
前記カバー本体には、前記開口部分の辺縁から前記電子機器筐体への取付方向に突出する複数の突起部が形成されていることを特徴とする電子機器筐体用カバー。
【請求項７】
請求項１から請求項６のいずれかに記載の電子機器筐体用カバーにおいて、
前記挿通部は、前記カバー本体の開口部分の一方の辺縁から該開口部分に対向する端面にかけて形成される切り欠きであることを特徴とする電子機器筐体用カバー。
【請求項８】
光源から射出された光束を画像情報に応じて変調する光変調装置と、この光変調装置にて変調された光束を拡大投写する投写光学系と、これら光変調装置および投写光学系が内部に配置される筐体と、請求項１から請求項７のいずれかに記載の電子機器筐体用カバーとを備えたことを特徴とするプロジェクタ。
【請求項９】
請求項８に記載のプロジェクタにおいて、
前記筐体には、前記電子機器筐体用カバーと係合する少なくとも一対の係合部が形成され、
一方の係合部は、前記電子機器筐体用カバーの取付方向と平行な端面上に形成されていることを特徴とするプロジェクタ。
【発明の詳細な説明】
【０００１】
【発明の属する技術分野】
本発明は、外部と接続する接続端子が露出する電子機器筐体に取り付けられ、前記接続端子を覆う電子機器筐体用カバーに関する。
【０００２】
【背景技術】
従来、外部と接続する接続端子が露出する電子機器に設置され、接続端子への塵埃等の付着を防止するように該接続端子を覆う電子機器筐体用カバーが知られている（例えば、特許文献１参照）。
この電子機器の筐体において、その後面には、外部と接続する接続端子が設けられている。また、この後面の上方には、固定ねじと螺合する雌ねじ孔が形成されている。さらに、この後面の下方には、下縁左右端部に後向きに突設され、後面に平行な短スリット上の係合孔を有する固定部材が、筐体の底板に切り曲げにより一体に設けられている。
【０００３】
電子機器筐体用カバーは、上面、後面および側面を囲む箱状に形成され、電子機器の筐体との設置面および底面が開口している。
この電子機器筐体用カバーにおいて、その側面には、前端部分を直角に曲げた縁部の下端に舌片が設けられている。また、その上面には、前端部分を直角に曲げた縁部に筐体の雌ねじ孔に対応する位置にＵ型の切り欠きが形成されている。さらに、その後面には、切り欠きに対応する位置に、ドライバが挿通される貫通孔が形成されている。
そして、電子機器の筐体に電子機器筐体用カバーを設置する際には、筐体の雌ねじ孔に固定ねじを緩めた状態で螺合させておく。そして、電子機器筐体用カバーを筐体の後面に当てがい、舌片を固定部材の係合孔に挿入、係止させるとともに、切り欠きを固定ねじの軸に差し込む。この後、電子機器筐体用カバーの後面の貫通孔からドライバを差し込み、固定ねじを締めて筐体に電子機器筐体用カバーを固定する。
【０００４】
【特許文献１】
実公平８−７６５７号公報（第１図）
【０００５】
【発明が解決しようとする課題】
しかしながら、上記のような構成では、電子機器の筐体に電子機器筐体用カバーを着脱する際には、ドライバ等の工具が必要となり、利用者に煩雑な作業を実施させてしまうなどの問題が一例として挙げられる。
【０００６】
本発明の目的は、このような問題点に鑑みて、電子機器の筐体への着脱を容易に実施できる電子機器筐体用カバー、および、プロジェクタを提供することにある。
【０００７】
【課題を解決するための手段】
本発明の電子機器筐体用カバーは、外部と接続する接続端子が露出する電子機器筐体に取り付けられ、前記接続端子を覆う電子機器筐体用カバーであって、前記接続端子に接続される接続ケーブルが挿通される挿通部を有し、一方の端面が開口する箱状のカバー本体と、このカバー本体内部に回動自在に設けられ、前記電子機器筐体と係合する係合部材と、この係合部材を前記電子機器筐体への係合方向に付勢する付勢部材とを備えていることを特徴とする。
本発明によれば、電子機器筐体用カバーは、カバー本体、係合部材および付勢部材を備えているので、ドライバ等の工具を使用せずに、電子機器筐体に対して電子機器筐体用カバーを取り付けることができ、電子機器筐体への着脱を容易に実施できる。
また、電子機器筐体には、電子機器筐体用カバーの係合部材と係合する、例えば係合孔等を設けておけばよく、電子機器筐体用カバーを使用しない場合であっても、電子機器の外観を損なうことがない。
【０００８】
ところで、電子機器筐体が複数の接続端子を有し、この複数の接続端子に複数の接続ケーブルが接続されている場合には、電子機器自体の外観が損なわれる。本発明では、電子機器筐体用カバーのカバー本体は、挿通部を有しているので、電子機器筐体に電子機器筐体用カバーを取り付けた際には、電子機器筐体の接続端子に接続される接続ケーブルをこの挿通部に挿通できる。したがって、電子機器筐体用カバーにより、接続端子を保護できるとともに、電子機器自体の外観を向上させることができる。
【０００９】
本発明の電子機器筐体用カバーでは、前記係合部材は、前記電子機器筐体と係合するフックと、前記カバー本体外部に露出し、前記フックと前記電子機器筐体との係合状態を解除するレバーとを備えていることが好ましい。
本発明によれば、電子機器筐体用カバーの係合部材は、フックおよびレバーを備え、レバーがカバー本体外部に露出するように形成されているので、外部からこのレバーを操作することで電子機器筐体に対する電子機器筐体用カバーの着脱をさらに容易に実施できる。
また、係合部材において、レバーのみがカバー本体に露出するように形成しているので、電子機器筐体用カバーの外観を損なうことなく、すなわち、電子機器筐体に電子機器筐体用カバーを取り付けた場合でも、電子機器全体の外観を損なうことがない。
【００１０】
本発明の電子機器筐体用カバーでは、前記係合部材は、前記カバー本体の開口部分の一方の辺縁に設けられ、前記カバー本体は、前記係合部材の配置位置に対向する辺縁に、前記電子機器筐体と係合する係合片が形成されていることが好ましい。
本発明によれば、カバー本体の開口部分の辺縁において、係合部材の配置位置と対向する辺縁には、係合片が形成されているので、係合部材による電子機器筐体への係合状態を維持でき、電子機器筐体に対する電子機器筐体用カバーの取り付けを確実に実施できる。
【００１１】
本発明の電子機器筐体用カバーでは、前記カバー本体は、一方の開口端面から他方の端面に向かうに従って断面積が次第に小さくなる断面を有することが好ましい。
例えば、電子機器筐体に電子機器の設置状態（例えば、机上での設置状態）を変更する傾斜調整脚部が設けられている場合には、電子機器筐体に電子機器筐体用カバーを取り付けた状態で、傾斜調整脚部を操作して電子機器を傾斜させると、電子機器筐体用カバーが例えば机等に干渉してしまう。したがって、電子機器筐体用カバーが電子機器における設置状態の変更を規制してしまう。
本発明では、カバー本体は、一方の開口端面から他方の端面に向かうに従って断面積が次第に小さくなる断面を有するので、前述した電子機器の設置位置を変更する場合でも、電子機器筐体用カバーが例えば机等に干渉することを回避できる。
【００１２】
本発明の電子機器筐体用カバーでは、前記電子機器筐体には、当該電子機器筐体用カバーの設置面に、外部から所定の情報を取得する情報取得部が形成され、前記カバー本体には、前記電子機器筐体に取り付けた際に、前記情報取得部をカバーする凹部が形成されていることが好ましい。
ここで、情報取得部としては、例えば、電子機器を外部から遠隔操作するリモートコントローラ等から発信される制御信号を受信するリモコン受光部、また、電波、光、赤外線、および、Blue tooth等の無線伝送方式にて情報を送受信する情報送受信部等を採用できる。
本発明によれば、カバー本体には、凹部が形成されているので、電子機器筐体用カバーが取り付けられている状態であっても、前述のリモコン受光部や情報送受信部等の情報取得部による信号の受信または情報の送受信を阻害することなく、情報取得部は、外部から情報を確実に取得できる。
また、例えば、情報送受信部等の情報取得部が、例えばＩＣカード等にて構成され、電子機器筐体に対して着脱自在である場合でも、電子機器筐体用カバーが取り付けられている状態で情報送受信部を容易に着脱できる。
【００１３】
本発明の電子機器筐体用カバーでは、前記カバー本体には、前記開口部分の辺縁から前記電子機器筐体への取付方向に突出する複数の突起部が形成されていることが好ましい。
本発明によれば、カバー本体の開口部分の辺縁には、複数の突起部が形成されているので、電子機器筐体と所定の隙間を空けて電子機器筐体用カバーを取り付けることができる。例えば、電子機器筐体が複雑な形状を有している場合であっても、この複数の突起部により電子機器筐体の形状に合わせて電子機器筐体用カバーを取り付けることができる。
すなわち、複数の突起部は、その突出方向の寸法がそれぞれ同一となるように形成してもよく、電子機器筐体の形状に合わせてそれぞれ異なる寸法となるように形成してもよい。
【００１４】
本発明の電子機器筐体用カバーでは、前記挿通部は、前記カバー本体の開口部分の一方の辺縁から該開口部分に対向する端面にかけて形成される切り欠きであることが好ましい。
本発明によれば、挿通部は、切り欠きであることにより、例えば表裏を貫通する貫通孔として構成されている場合と比較して、接続端子に接続された接続ケーブルを接続端子から取り外すことなく、電子機器筐体に対して電子機器筐体用カバーを着脱できる。したがって、利用者に煩雑な作業を実施させることなく、電子機器筐体に対する電子機器筐体用カバーの着脱をさらに容易に実施できる。
【００１５】
本発明のプロジェクタは、光源から射出された光束を画像情報に応じて変調する光変調装置と、この光変調装置にて変調された光束を拡大投写する投写光学系と、これら光変調装置および投写光学系が内部に配置される筐体と、上記電子機器筐体用カバーとを備えたことを特徴とする。
本発明によれば、プロジェクタは、前述の電子機器筐体用カバーを備えているので、上記と同様の作用効果を享受する。
【００１６】
本発明のプロジェクタでは、前記筐体には、前記電子機器筐体用カバーと係合する少なくとも一対の係合部が形成され、一方の係合部は、前記電子機器筐体用カバーの取付方向と平行な端面上に形成されていることが好ましい。
本発明によれば、筐体に形成された少なくとも一対の係合部のうち、一方の係合部が電子機器筐体用カバーの取付方向と平行な端面上に形成されているので、例えば、プロジェクタを机上に設置した際に、この一方の係合部が筐体の下面側に配置されるように構成すれば、一方の係合部が外部に対して隠れた状態となり、プロジェクタの外観を良好に維持できる。また、天吊り式のプロジェクタでも同様である。
【００１７】
【発明の実施の形態】
以下、本発明の実施の一形態を図面に基づいて説明する。
（１）外観構成
図１および図２には、本発明の実施形態に係るプロジェクタ１が示されており、図１は上方前面側から見た斜視図であり、図２は下方背面側から見た斜視図である。
このプロジェクタ１は、光源から射出された光束を画像情報に応じて変調し、スクリーン等の投写面上に拡大投写する光学機器であり、後述する光学ユニットを含む装置本体を内部に収納する電子機器筐体としての外装ケース２および外装ケース２から露出する投写光学系としての投写レンズ３を備えている。このプロジェクタ１は、大型店舗内や、パブリックスペース等に設置され、投写画像を大画面表示することによって、多数の観察者に映像情報を提供するものである。
投写レンズ３は、後述する光変調装置としての液晶パネルにより光源から射出された光束を画像情報に応じて変調形成された光学像を拡大投写する投写光学系としての機能を具備するものであり、筒状の鏡筒内に複数のレンズが収納された組レンズとして構成される。
【００１８】
筐体としての外装ケース２は、投写方向に沿った奥行き寸法がこれに直交する幅方向寸法よりも大きな直方体形状をなし、装置本体を覆う面状体１０と、ケース強度を負担する後述するフレーム体とを備えて構成されている。
面状体１０は、装置本体の上部を覆うアッパーケース１１と、装置本体の下部を覆うロアーケース１２と、装置本体の前面部分を覆うフロントケース１３とを備えている。これら各ケース１１〜１３は、射出成形等によって成形された合成樹脂製の一体成形品である。
【００１９】
アッパーケース１１は、装置本体の上部を覆う筐体上面部１１Ａと、この筐体上面部１１Ａの幅方向端部から略垂下する筐体側面部１１Ｂ、１１Ｃと、筐体上面部１１Ａの後端部から略垂下する筐体背面部１１Ｄとを備えている。
このアッパーケース１１の筐体上面部１１Ａと、筐体側面部１１Ｂ、１１Ｃとが交差する稜線部分には、プロジェクタ１の投写方向略中央から後端側に向かって面取加工が施され、稜線に沿って凹状にへこんだ凹部１１１が形成されている。この凹部１１１は、プロジェクタ１を２台スタックさせた際に、２台のプロジェクタ１を連結するパイプ状の支持部材を挿入するために形成されている。
また、筐体側面部１１Ｂには、冷却空気導入用のスリット状の開口部１１２が形成されている。
【００２０】
筐体上面部１１Ａの略中央部分には、プロジェクタ１の起動・調整操作を行うための操作パネル１４が設けられている。この操作パネル１４は、起動スイッチ、画像・音声等の調整スイッチを含む複数のスイッチを備え、プロジェクタ１による投写時には、操作パネル１４中の調整スイッチ等を操作することにより、画質・音量等の調整を行うことができる。
また、筐体上面部１１Ａの投写方向前方には、複数の孔１４１が形成されていて、この内部には、後述する音声出力用のスピーカが収納されている。
これら操作パネル１４およびスピーカは、後述する装置本体を構成する制御基板と電気的に接続され、操作パネル１４による操作信号はこの制御基板で処理される。
【００２１】
筐体背面部１１Ｄは、ほぼ全面が開口された枠状に構成され、この開口部分には、画像信号等を入力するためのコネクタ群１５が露出するとともに、その隣は、光源装置を収納する開口部とされ、通常は、光源装置収納用の蓋部材１６によって覆われている。尚、コネクタ群１５は、後述する制御基板と電気的に接続され、コネクタ群１５を介して入力した画像信号は、制御基板によって処理される。
また、筐体上面部１１Ａの後端部及び筐体背面部１１Ｄの上端部分は、アッパーケース１１から脱着可能な蓋部材１１３が取り付けられていて、詳しくは後述するが、この蓋部材１１３内部には、ＬＡＮボード等の拡張基板を挿入することができるようになっている。
【００２２】
ロアーケース１２は、アッパーケース１１との係合面を中心としてアッパーケース１１と略対称に構成され、筐体底面部１２Ａ、筐体側面部１２Ｂ、１２Ｃ、および筐体背面部１２Ｄを備えている。
そして、筐体側面部１２Ｂ、１２Ｃ、および筐体背面部１２Ｄは、その上端部分でアッパーケース１１の筐体側面部１１Ｂ、１１Ｃ、及び筐体背面部１１Ｄの下端部分と係合する。尚、筐体背面部１２Ｄは、アッパーケース１１の筐体背面部１１Ｄと同様に、ほぼ全面が開口され、係合後の開口部分から前述したコネクタ群１５が露出するとともに、両開口部分に跨って蓋部材１６が取り付けられる。
また、筐体背面部１２Ｄの角隅部には、さらに開口部が形成されており、この開口部からインレットコネクタ１７が露出している。さらに、筐体側面部１２Ｂには、アッパーケース１１の筐体側面部１１Ｂに形成された開口部１１２に応じた位置に開口部１２２が形成されている。
【００２３】
筐体底面部１２Ａには、プロジェクタ１の後端側略中央に固定脚部１８が設けられているとともに、先端側幅方向両端に調整脚部１９が設けられている。
調整脚部１９は、筐体底面部１２Ａから面外方向に進退自在に突出する軸状部材から構成され、軸状部材自体は、外装ケース２の内部に収納されている。このような調整脚部１９は、プロジェクタ１の側面部分に設けられる調整ボタン１９１を操作することにより、筐体底面部１２Ａからの進退量を調整することができる。
これにより、プロジェクタ１から射出された投写画像の上下位置を調整し、適切な位置に投写画像を形成することができるようになる。
【００２４】
また、筐体底面部１２Ａには、筐体底面部１２Ａの略中央に投写方向に沿って延びる凸条のリブ状部２０と、このリブ状部２０と直交するようにプロジェクタ１の幅方向に沿って延びる複数のリブ状部２１、２２とが形成されている。そして、中間部分の２本のリブ状部２１の間には、詳しくは後述するが、外部から冷却空気を取り込むための吸気用開口部が形成されていて、フィルタ２３によって覆われている。このフィルタ２３で塞がれた吸気用開口部の後端側には、やはり冷却空気取り込みようの吸気用開口部２４が形成されているが、フィルタで覆われる構成とはなっていない。
プロジェクタ１の幅方向に沿って延びるリブ状部２１、２２の端部には、ねじ孔２１Ａが４箇所形成されている。このねじ孔２１Ａには、プロジェクタ１を天井吊り下げとした場合の天井吊り下げ用の金具が装着される。
さらに、筐体底面部１２Ａの装置後端側端縁には、係合部２６が形成されており、この係合部２６には、前述したコネクタ群１５を覆って塵埃等がこれらに付着することを防止するための電子機器筐体用カバーとしてのカバー部材が取り付けられるようになっている。
【００２５】
フロントケース１３は、前面部１３Ａおよび上面部１３Ｂを備えて構成され、前面部１３Ａの外周部分には、面外方向に延びるリブ１３Ｃが形成されており、アッパーケース１１、ロアーケース１２の投写方向先端側とこのリブ１３Ｃが係合する。
前面部１３Ａは、ロアーケース１２の筐体底面部１２Ａからアッパーケース１１の筐体上面部１１Ａに向かって装置後端側に傾斜しており、その方向は、投写面から遠ざかるように傾斜している。このようにしたのは、プロジェクタ１を天井吊り下げにした際に、フロントケース１３の前面部１３Ａが下面を向くので、フロントケース１３に塵埃が付着しにくくなるためであり、通常設置の状態よりもメンテナンスしにくい天井吊り下げの場合を考慮したためである。
【００２６】
このような前面部１３Ａの略中央部分には開口部２７が形成されており、この開口部２７からは投写レンズ３が露出する。
この開口部２７には、隣接してスリット状の開口部２８が形成されており、プロジェクタ１の装置本体内部を冷却した空気は、この開口部２８から排出される。
さらに、前面部１３Ａの角隅部近傍には、孔２９が形成されており、この孔２９内に、不図示のリモートコントローラの操作信号を受信するための受光部３０がある。
尚、本例においては、プロジェクタ１の背面側にも情報取得部としての受光部３０が設けられており、図２に示されるようにアッパーケース１１の筐体背面部１１Ｄの角隅部に受光部３０がある。これにより、リモートコントローラを使用する場合、装置前面側、装置背面側のいずれの方向からもリモートコントローラの操作信号を受信することができるようになっている。
【００２７】
上面部１３Ｂは、アッパーケース１１の筐体上面部１１Ａの略中央まで延出し、具体的には図示を略したが、投写レンズ３の基端部近傍まで達している。このようにしたのは、投写レンズ３を変更する際に、フロントケース１３を取り外すだけで投写レンズ３を交換できるようにするためであり、アッパーケース１１およびロアーケース１２からフロントケース１３を取り外すと、上面部１３Ｂが外れて開口され、投写レンズ３の基端部取付部分が露出するようになっている。
【００２８】
（２）内部構成
このような外装ケース２の内部には、図３〜図５に示されるように、プロジェクタ１の装置本体が収納されており、この装置本体は、光学ユニット４、制御基板５、および電源ブロック６を備えて構成される。
(2-1)光学ユニット４の構造
光学エンジンとしての光学ユニット４は、光源装置から射出された光束を画像情報に応じて変調して光学像を形成し、投写レンズ３を介してスクリーン上に投写画像を形成するものであり、図５に示されるように、ライトガイド４０という光学部品用筐体内に、光源装置や、種々の光学部品等を組み込んだものとして構成される。
このライトガイド４０は、下ライトガイド４０１、上ライトガイド４０２から構成され、それぞれは、射出成形等による合成樹脂製品である。
【００２９】
下ライトガイド４０１は、図６に示されるように、後述する光源装置が収納される光源収納部４０１Ａ及び光学部品を収納する部品収納部４０１Ｂを備え、この部品収納部４０１Ｂは、底面部４０１Ｃ及び側壁部４０１Ｄからなる上部が開口された容器状に形成され、側壁部４０１Ｄには、複数の溝部４０１Ｅが設けられている。この溝部４０１Ｅには、光学ユニット４を構成する種々の光学部品が装着され、これにより各光学部品は、ライトガイド４０内に設定された照明光軸上に精度よく配置される。上ライトガイド４０２は、この下ライトガイド４０１に応じた平面形状を有し、下ライトガイド４０１の上面を塞ぐ蓋状部材として構成される。
また、下ライトガイド４０１の光束射出側端部には、金属製の側面略Ｌ字状のヘッド体４０３が配置され、このヘッド体４０３のＬ字水平部分には、後述する光学装置４４が取り付けられるとともに、Ｌ字垂直部分には、投写レンズ３の基端部分が接合固定される。
【００３０】
このようなライトガイド４０内は、図７に示されるように、インテグレータ照明光学系４１と、色分離光学系４２と、リレー光学系４３と、光変調光学系および色合成光学系を一体化した光学装置４４とに機能的に大別される。尚、本例における光学ユニット４は、三板式のプロジェクタに採用されるものであり、ライトガイド４０内で光源から射出された白色光を三色の色光に分離する空間色分離型の光学ユニットとして構成されている。
インテグレータ照明光学系４１は、光源から射出された光束を照明光軸直交面内における照度を均一にするための光学系であり、光源装置４１１、平行化凹レンズ４１２、第１レンズアレイ４１３、第２レンズアレイ４１４、偏光変換素子４１５、および重畳レンズ４１６を備えて構成される。
【００３１】
光源装置４１１は、放射光源としての光源ランプ４１７、リフレクタ４１８、およびリフレクタ４１８の光束射出面を覆うフロントガラス４１９を備え、光源ランプ４１７から射出された放射状の光線を、平行化凹レンズ４１２及びリフレクタ４１８で反射して略平行光線とし、外部へと射出する。本例では、光源ランプ４１７として高圧水銀ランプを採用しているが、これ以外にメタルハライドランプやハロゲンランプを採用することもある。また、本例では、楕円面鏡からなるリフレクタ４１８の射出面に平行化凹レンズ４１２を配置した構成を採用しているが、リフレクタ４１８として放物面鏡を採用することもできる。
【００３２】
第１レンズアレイ４１３は、照明光軸方向から見てほぼ矩形状の輪郭を有する小レンズがマトリクス状に配列された構成を具備している。各小レンズは、光源ランプ４１７から射出された光束を部分光束に分割し、照明光軸方向に射出する。各小レンズの輪郭形状は、後述する液晶パネル４４１Ｒ、４４１Ｇ、４４１Ｂの画像形成領域の形状とほぼ相似形をなすように設定される。例えば、液晶パネル４４１Ｒ、４４１Ｇ、４４１Ｂの画像形成領域のアスペクト比（横と縦の寸法の比率）が４：３であるならば、各小レンズのアスペクト比も４：３に設定される。
第２レンズアレイ４１４は、第１レンズアレイ４１３と略同様の構成であり、小レンズがマトリクス状に配列された構成を具備する。この第２レンズアレイ４１４は、重畳レンズ４１６とともに、第１レンズアレイ４１３の各小レンズの像を液晶パネル４４１Ｒ、４４１Ｇ、４４１Ｂ上に結像させる機能を有する。
【００３３】
偏光変換素子４１５は、第２レンズアレイ４１４からの光を１種類の偏光光に変換するものであり、これにより、光学装置４４での光の利用率が高められている。
具体的に、偏光変換素子４１５によって１種類の偏光光に変換された各部分光束は、重畳レンズ４１６によって最終的に光学装置４４の液晶パネル４４１Ｒ、４４１Ｇ、４４１Ｂ上にほぼ重畳される。偏光光を変調するタイプの液晶パネル４４１Ｒ、４４１Ｇ、４４１Ｂを用いたプロジェクタでは、１種類の偏光光しか利用できないため、ランダムな偏光光を発する光源ランプ４１７からの光束の略半分が利用されない。このため、偏光変換素子４１５を用いることにより、光源ランプ４１７から射出された光束を全て１種類の偏光光に変換し、光学装置４４における光の利用効率を高めている。なお。このような偏光変換素子４１５は、例えば、特開平８−３０４７３９号公報に紹介されている。
【００３４】
色分離光学系４２は、インテグレータ照明光学系４１から射出された光束を曲折する反射ミラー４２１と、２枚のダイクロイックミラー４２２，４２３と、反射ミラー４２４とを備え、ダイクロイックミラー４２２、４２３によりインテグレータ照明光学系４１から射出された複数の部分光束を赤（Ｒ）、緑（Ｇ）、青（Ｂ）の３色の色光に分離する機能を有している。尚、本例では、反射ミラー４２４は、下ライトガイド４０１に対して姿勢を調整することができるようになっている。
リレー光学系４３は、入射側レンズ４３１と、リレーレンズ４３３と、反射ミラー４３２、４３４とを備え、色分離光学系４２で分離された色光である赤色光を液晶パネル４４１Ｒまで導く機能を有している。
【００３５】
この際、色分離光学系４２のダイクロイックミラー４２２では、インテグレータ照明光学系４１から射出された光束のうち、赤色光成分と緑色光成分とは反射し、青色光成分は透過する。ダイクロイックミラー４２２によって透過した青色光は、反射ミラー４２４で反射し、フィールドレンズ４２５を通って、青色用の液晶パネル４４１Ｂに到達する。このフィールドレンズ４２５は、第２レンズアレイ４１４から射出された各部分光束をその中心軸（主光線）に対して平行な光束に変換する。他の液晶パネル４４１Ｇ、４４１Ｒの光入射側に設けられたフィールドレンズ４２５も同様である。
【００３６】
また、ダイクロイックミラー４２２を反射した赤色光と緑色光のうちで、緑色光は、ダイクロイックミラー４２３によって反射し、フィールドレンズ４２５を通って、緑色用の液晶パネル４４１Ｇに到達する。一方、赤色光は、ダイクロイックミラー４２３を透過してリレー光学系４３を通り、さらにフィールドレンズ４２５を通って、赤色光用の液晶パネル４４１Ｒに到達する。
なお、赤色光にリレー光学系４３が用いられているのは、赤色光の光路の長さが他の色光の光路長さよりも長いため、光の発散等による光の利用効率の低下を防止するためである。すなわち、入射側レンズ４３１に入射した部分光束をそのまま、フィールドレンズ４２５に伝えるためである。なお、リレー光学系４３には、３つの色光のうちの赤色光を通す構成としたが、これに限らず、例えば、青色光を通す構成としてもよい。
【００３７】
光学装置４４は、入射された光束を画像情報に応じて変調してカラー画像を形成するものであり、色分離光学系４２で分離された各色光が入射される３つの入射側偏光板４４２と、各入射側偏光板４４２の後段に配置される光変調装置としての液晶パネル４４１Ｒ、４４１Ｇ、４４１Ｂと、各液晶パネル４４１Ｒ、４４１Ｇ、４４１Ｂの後段に配置される視野角補正板４４３および射出側偏光板４４４と、色合成光学系としてのクロスダイクロイックプリズム４４５とを備える。
【００３８】
液晶パネル４４１Ｒ、４４１Ｇ、４４１Ｂは、例えば、ポリシリコンＴＦＴをスイッチング素子として用いたものであり、図８に示されるように、液晶パネル４４１Ｇを例に取れば、パネル本体４４１１と、このパネル本体４４１１を収納する保持枠４４１２とを備えている。尚、以下の説明では、液晶パネル４４１Ｒ、４４１Ｂについては特段言及しないが、液晶パネル４４１Ｇと略同様の構成である。
パネル本体４４１１は、図示を略したが、対向配置される一対の透明基板内に液晶が密封封入されたものであり、一対の透明基板の入射側及び射出側には防塵ガラスが貼り付けられている。
保持枠４４１２は、パネル本体４４１１を収納する凹部を有する部材であり、その四隅部分には、孔４４１３が形成されている。
【００３９】
このような液晶パネル４４１Ｒ、４４１Ｇ、４４１Ｂの前段に配置される入射側偏光板４４２（図７参照）は、色分離光学系４２で分離された各色光のうち、一定方向の偏光光のみ透過させ、その他の光束を吸収するものであり、サファイアガラス等の基板に偏光膜が貼付されたものである。また、基板を用いずに、偏光膜をフィールドレンズ４２５に貼り付けてもよい。
視野角補正板４４３は、基板上に液晶パネル４４１Ｇで形成された光学像の視野角を補正する機能を有する光学変換膜が形成されたものであり、このような視野角補正板４４３を配置することにより、投写画像の視野角が拡大され、かつ投写画像のコントラストが大幅に向上する。
【００４０】
射出側偏光板４４４は、液晶パネル４４１Ｇで光変調された光束のうち、所定方向の偏光光のみ透過させ、その他の光束を吸収するものであり、本例では、２枚の第１偏光板（プリポラライザ）４４４Ｐ及び第２偏光板（アナライザ）４４４Ａから構成されている。このように射出側偏光板４４４を２枚構成としたのは、入射する偏光光を、第１偏光板４４４Ｐ、第２偏光板４４４Ａのそれぞれで按分させて吸収することにより、偏光光で発生する熱を両偏光板４４４Ｐ、４４４Ａで按分させ、それぞれの過熱を抑えるためである。
【００４１】
クロスダイクロイックプリズム４４５は、射出側偏光板４４４から射出され、各色光毎に変調された光学像を合成してカラー画像を形成するものである。
クロスダイクロイックプリズム４４５には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
このクロスダイクロイックプリズム４４５の下面には、プリズム固定板４４５１が紫外線硬化型接着剤により固着されている。このプリズム固定板４４５１は、クロスダイクロイックプリズム４４５の対角線に沿って伸びる脚部４４５２を備え、各脚部４４５２の先端部分には孔４４５３が形成されている。
そして、光学装置４４は、この孔４４５３部分に挿入される不図示のねじ等によって前述したヘッド体４０３のＬ字水平分に接合固定される。
【００４２】
前述した液晶パネル４４１Ｇ、視野角補正板４４３、第１偏光板４４４Ｐ及び第２偏光板４４４Ａは、パネル固定板４４６を介してクロスダイクロイックプリズム４４５の光束入射端面に固定される。
パネル固定板４４６は、平面視略Ｃ字形状の固定部本体４４６１と、この固定部本体４４６１の先端側に腕部４４６２を介して突設されるピン４４６３とを備える。このうち、固定部本体４４６１のＣ字先端には、視野角補正板４４３が固定される台座４４６４と、Ｃ字先端側縁に沿って延出し、視野角補正板４４３の外形位置基準となる位置決め部４４６４Ａが形成されている。
そして、液晶パネル４４１Ｇ、視野角補正板４４３、第１偏光板４４４Ｐ及び第２偏光板４４４Ａを、パネル固定板４４６によってクロスダイクロイックプリズム４４５の光束入射端面に固定する場合、まず、固定部本体４４６１のＣ字内側の空間に第１偏光板４４４Ｐ、第２偏光板４４４Ａを挿入し、バネ部材４４６５によって該空間内に、これら偏光板４４４Ｐ、４４４Ａが一定距離離間配置するように付勢しながら固定する。
【００４３】
次に、視野角補正板４４３の外形位置を位置決め部４４６４Ａにて合わせながら、視野角補正板４４３の端面を台座４４６４に熱伝導性テープまたは接着剤等で貼り付けた後、クロスダイクロイックプリズム４４５の光束入射端面にパネル固定板４４６を固定する。
そして、パネル固定板４４６のピン４４６３に紫外線硬化型接着剤を塗布した後、未硬化の状態で液晶パネル４４１Ｇの孔４４１３を挿通する。
同様の手順で液晶パネル４４１Ｒ、４４１Ｂも、紫外線硬化型接着剤が未硬化の状態でパネル固定板４４６に仮止めしておき、各液晶パネル４４１Ｒ、４４１Ｇ、４４１Ｂに赤、青、緑の各色光を導入し、クロスダイクロイックプリズム４４５の光束射出端面から射出された各色光を観察しながら、液晶パネル４４１Ｒ、４４１Ｇ、４４１Ｂ相互の位置調整を行い、位置調整が終了したら、紫外線硬化型接着剤に紫外線を照射して、液晶パネル４４１Ｒ、４４１Ｇ、４４１Ｂの位置決め固定を行う。
【００４４】
(2-2)制御基板５の構造
制御基板５は、図４及び図５に示すように、光学ユニット４の上側を覆うように配置され、２段に積層配置されるメイン基板５１を備え、上段側基板５１１には、演算処理装置等の制御部本体が実装され、下側基板５１２には、各液晶パネル４４１Ｒ、４４１Ｇ、４４１Ｂの駆動用ＩＣが実装されている。また、この制御基板５は、図示を略したが、このメイン基板５１の後端側で接続され、外装ケース２の筐体背面部１１Ｄ、１２Ｄに起立するインターフェース基板を備えている。
インターフェース基板の背面側には、前述したコネクタ群１５が実装されていて、コネクタ群１５から入力する画像情報は、このインターフェース基板を介してメイン基板５１に出力される。
メイン基板５１上の演算処理装置は、入力した画像情報を演算処理した後、液晶パネル駆動用ＩＣに制御指令を出力する。駆動用ＩＣは、この制御指令に基づいて駆動信号を生成出力して液晶パネル４４１を駆動させ、これにより、画像情報に応じて光変調を行って光学像が形成される。
【００４５】
(2-3)電源ブロック６の構造
電源ブロック６は、光学ユニット４に隣接して、プロジェクタ１の外装ケース２の投写方向に沿って延出して設けられ、図示を略したが、電源ユニット及びランプ駆動ユニットを備えている。
電源ユニットは、前述したインレットコネクタ１７に接続された電源ケーブルを通して外部から供給された電力をランプ駆動ユニットや制御基板５等に供給するものである。
ランプ駆動ユニットは、前述した光源装置４１１に安定した電圧で電力を供給するための変換回路であり、電源ユニットから入力した商用交流電流は、このランプ駆動ユニットによって整流、変換されて、直流電流や交流矩形波電流となって光源装置４１１に供給される。
このような電源ブロック６の前方には、図３に示すように、排気ファン６１が設けられており、プロジェクタ１内部の各構成部材を冷却した空気は、この排気ファン６１によって集められ、外装ケース２の開口部２８から装置外部に排出される。
【００４６】
(2-4)冷却構造
このようなプロジェクタ１内部は、光源装置４１１や電源ブロック６の発熱により加熱されるため、内部に冷却空気を循環させて、光源装置４１１、光学装置４４、電源ブロック６、制御基板５を構成するメイン基板５１を効率的に冷却させる必要がある。このため、本例では、図９に示されるように３つの冷却流路Ｃ１、Ｃ２、Ｃ３が設定されている。
冷却流路Ｃ１は、インテグレータ照明光学系４１を構成する光源装置４１１及び偏光変換素子４１５を冷却する流路であり、図２における吸気用開口部２４の装置内部に設けられるシロッコファン７１で吸引した冷却空気を、ダクト７２によってライトガイド４０の光源収納部４０１Ａの側方から光源装置４１１、偏光変換素子４１５に供給し、これらを冷却する。冷却後の空気は、排気ファン６１によって吸引され、プロジェクタ１の外部に排出される。
【００４７】
冷却流路Ｃ２は、光変調及び色合成を行う光学装置４４を冷却する流路であり、図２におけるフィルタ２３が設けられた位置に形成される吸気用開口部の装置内側に設けられるシロッコファン（後述）で吸引した冷却空気を、光学装置４４の下方から上方に向かって供給して、前記の液晶パネル４４１Ｒ、４４１Ｇ、４４１Ｂや、入射側偏光板４４２、視野角補正板４４３、射出側偏光板４４４を冷却する。冷却後の空気は、メイン基板５１の下面及びアッパーケース１１の筐体上面部１１Ａに沿って流れ、メイン基板５１に実装された回路素子を冷却しながら、排気ファン６１によって外部に排出される。
【００４８】
冷却流路Ｃ３は、電源ブロック６を冷却する流路であり、電源ブロック６の後端側に設けられる吸気ファン６２により、アッパーケース１１の筐体側面部１１Ｂに形成された開口部１１２、ロアーケース１２の筐体側面部１２Ｂに形成された開口部１２２から冷却空気を取り込み、取り込まれた冷却空気の一部は、電源ユニット及びランプ駆動ユニットに供給され、これらを冷却した後、排気ファン６１によって外部に排出される。
【００４９】
（３）カバー部材の構造
図１０、１１は、カバー部材８の概略構成図である。
図１２は、係合部材８２およびコイルばね８３とカバー本体８１との配置を模式的に示す図である。
カバー部材８は、外装ケース２の投写方向背面に取り付けられ、該背面に露出するコネクタ群１５を覆う。このカバー部材８は、カバー本体８１と、係合部材８２と、付勢部材としてのコイルばね８３とを備えている。
カバー本体８１は、カバー上面部８１１と、このカバー上面部８１１の幅方向端部から略垂下するカバー側面部８１２と、カバー上面部８１１の投写方向の後方側端部から略垂下するカバー背面部８１３と、カバー側面部８１２およびカバー背面部８１３の端部からカバー上面部８１１と平行に延びるカバー底面部８１４とを備え、略箱状に形成されている。
【００５０】
カバー上面部８１１において、幅方向略中央部分には、上方に突出する凸部８１１Ａが形成され、断面略凸字状に形成されている。また、カバー上面部８１１は、投写方向の後方側に向かうに従って、カバー部材８の厚みを低減するように形成されている。
このカバー上面部８１１における凸部８１１Ａには、カバー本体８１の開口部分の近傍に、内側に窪む凹部８１１Ｂが形成され、さらに、この凹部８１１Ｂの底面部裏面には係合部材８２を設置するための設置部８１１Ｃが形成されている。
この設置部８１１Ｃは、凹部８１１Ｂの底面部裏面において、投写方向後方側の端部および幅方向の端部の一部から下方に向けて突設され、断面略コ字状に形成されている。そして、この設置部８１１Ｃにおいて、断面略コ字状の先端部分の側縁には、係合部材８２を回動自在に軸支する２つの孔８１１Ｄが形成されている。
また、凹部８１１Ｂの底面部には、係合部材８２の一部を外部に対して露出させる孔８１１Ｅ（図１２）が形成されている。
【００５１】
カバー底面部８１４には、幅方向略中央部分において、投写方向の前方側からカバー背面部８１３にかけて挿通部としての切り欠き８１４Ａが形成されている。すなわち、カバー底面部８１４は、カバー側面部８１２の双方の端部が略垂直に折曲して形成されている。また、このカバー底面部８１４は、投写方向の後方側に向かうに従って、カバー本体８１の厚みを低減するテーパ状に形成されている。さらに、カバー底面部８１４において、投写方向前方側の角隅部分には、投写方向に突出して外装ケース２の係合部２６と係合し係合部材８２による外装ケース２との係合状態を維持する係合片８１４Ｂが形成されている。
【００５２】
カバー側面部８１２は、カバー上面部８１１およびカバー底面部８１４の形状に合わせて平面視略台形状に形成されている。このカバー側面部８１２には、投写方向に延びる複数の凹部８１２Ａが形成されている。
また、カバー上面部８１１とカバー側面部８１２とが交差する稜線部分には、面取加工が施され、稜線に沿って凹状にへこんだ凹部８１２Ｂが形成されている。
カバー背面部８１３には、幅方向中央部分の下方に、カバー底面部８１４に形成された切り欠き８１４Ａの一部が形成されている。すなわち、この切り欠きは、カバー本体８１の開口する端面からカバー底面部８１４およびカバー背面部８１３にかけて形成されている。
また、カバー本体８１の開口部分、すなわち、カバー上面部８１１の投写方向端部およびカバー側面部８１２の投写方向端部には、投写方向に延びる複数の突起部８１Ａが形成されている。なお、これら突起部８１Ａは、その突出方向の寸法がそれぞれ同一となるように形成してもよく、異なるように形成してもよい。すなわち、外装ケース２の背面形状に対応するように形成すればよい。
【００５３】
係合部材８２は、カバー本体８１の内部に設けられた設置部８１１Ｃに回動自在に設置され、外装ケース２と係合する。この係合部材は、図１２に示すように、フック８２１と、回転軸８２２と、レバー８２３とが一体的に構成されている。
フック８２１は、投写方向に延びる板状の部材で構成されている。また、このフック８２１は、投写方向前方側が略垂下して形成され、この先端部分が外装ケース２と係合する。
回動軸８２２は、略円柱状に形成され、フック８２１の下面において、該下面の幅方向両端部から該幅方向に平行に延出する一対の回動軸８２２Ａ，８２２Ｂで構成されている。このうち、回動軸８２２Ａは、フック８２１の下面において、該下面の幅方向中央部分まで延出している。そして、これら回動軸８２２Ａ，８２２Ｂは、凸部８１１Ａの設置部８１１Ｃに形成された孔８１１Ｄにそれぞれ回動自在に軸支されている。
レバー８２３は、フック８２１の上面であって、回動軸８２２の形成位置と対向する位置に突設され、該フック８２１の幅方向両端部から上方に突出し、レバー８２３の先端部分が外部に対して露出する。すなわち、係合部材８２は、レバー８２３の操作により、回動軸８２２を中心として回動し、フック８２１と外装ケース２との係合状態が変更される。
以上説明したカバー本体８１および係合部材８２は、合成樹脂製であり、射出成形等により形成される。
【００５４】
コイルばね８３は、係合部材８２の回動軸８２２Ａにおいて、フック８２１の幅方向中央部分に延出する延出部分に該回動軸８２２Ａと同軸となるように設置され、その一端がフック８２１の下面に固定され、他端が設置部８１１Ｃに固定されている。そして、このコイルばね８３は、回動軸８２２Ａを介して、フック８２１を外装ケース２への係合方向に付勢している。このため、係合部材８２は、初期状態では、フック８２１が外装ケース２への係合方向に付勢され、レバー８２３が凹部８１１Ｂの底面部に当接している。そして、フックを外装ケース２に係合させる場合、または、この係合状態を解除する場合に、レバー８２３の先端を投写方向と反対側に引く。
【００５５】
図１３、１４は、外装ケース２へのカバー部材８の取付を説明する図である。ここで、外装ケース２に取り付けられる蓋部材１１３の投写方向背面側の端面には、図１３に示すように、幅方向の一方の端縁（図１３中左側の端部）および下縁の一部から端面に直交して延びる平面視Ｌ字状の延出部１１３１が突設されている。
この延出部１１３１のＬ字内側の端面には、プロジェクタ１の厚み方向にくぼむ凹部が形成され、この凹部が係合部材８２のフック８２１と係合する係合部１１３Ａとして機能する。
【００５６】
先ず、利用者は、カバー部材８を外装ケース２に取り付ける際に、図１３に示すように、外装ケース２の投写方向背面側からカバー部材８を矢印Ｒａの方向に移動する。また、カバー部材８を該カバー部材８の開口部分が上方に向く方向に傾斜させながら、ロアーケース１２の筐体底面部１２Ａと係合部２６との間に、カバー本体８１の係合片８１４Ｂを挿通し、係合部２６と係合片８１４Ｂとを係合する。
そして、利用者は、係合部材８２のレバー８２３の先端をカバー部材８の取付方向と反対側（矢印Ｒｂの方向）に引きながら、カバー部材８の開口部分を外装ケース２の背面に当接させる。そしてまた、開口部分を外装ケース２に当接させた後、レバー８２３を離す。
利用者がレバー８２３を離すことで、係合部材８２は、コイルばね８３により回動軸８２２を介して付勢され、フック８２１の先端部分が、外装ケース２に取り付けられた蓋部材１１３の係合部１１３Ａと係合する。
また、利用者がレバーを操作しなくても係合が可能となる。
【００５７】
以上のように、カバー部材８が外装ケース２に取り付けられると、図１４に示すように、外装ケース２のコネクタ群１５およびインレットコネクタ１７がカバー部材８により覆われる。また、具体的な図示は省略するが、外装ケース２のコネクタ群１５に接続される接続ケーブルおよびインレットコネクタ１７に接続される電源ケーブル等は、カバー部材８の切り欠き８１４Ａを介して、カバー部材８の外部に取り出せる。
【００５８】
図１５は、外装ケース２とカバー部材８との接続状態を示す図である。
図１６は、外装ケース２にカバー部材８を取り付けた状態でのカバー部材８と受光部３０との配置関係を説明する図である。
カバー部材８を外装ケース２に取り付けた状態では、図１５に示すように、カバー本体８１に形成された突起部８１Ａにより、外装ケース２とカバー部材８との間に所定の隙間が形成される。そして、この突起部８１Ａにより、外装ケース２の背面形状に対応して、カバー部材８が取り付けられる。
そして、このような状態では、外装ケース２の筐体上面部１１Ａおよびカバー部材８の凸部８１１Ａの上面、外装ケース２の側面およびカバー部材８のカバー側面部８１２、外装ケース２の筐体底面部１２Ａおよびカバー部材８のカバー底面部８１４は、略面一となる。
また、カバー部材８を外装ケース２に取り付けた状態では、図１６に示すように、カバー部材８の凹部８１２Ｂにより、プロジェクタ１の背面側に設けられた受光部３０が外部のリモートコントローラからの操作信号を受信可能となっている。
【００５９】
（４）実施形態の効果
前述のような本実施形態によれば、次のような効果がある。
（4-1）カバー部材８は、カバー本体８１、係合部材８２およびコイルばね８３を備えているので、係合部材８２によりプロジェクタ１の外装ケース２の係合部１１３Ａに係合させることで、特にドライバ等の工具を使用せずに、外装ケース２に対して取り付けることができ、外装ケース２への着脱を容易に実施できる。（4-2）カバー部材８のカバー本体８１は、コネクタ群１５に接続される接続ケーブルおよびインレットコネクタ１７に接続される電源ケーブル等を挿通する挿通部としての切り欠き８１４Ａを有している。このことにより、外装ケース２にカバー部材８を取り付けた際には、接続されたケーブルを切り欠き８１４Ａを介して外部に取り出せる。したがって、カバー部材８を外装ケース２に取り付けることで、コネクタ群１５に接続された接続ケーブル等により煩雑な状態となった外装ケース２の背面側を覆い、外装ケース２自体の外観を向上させることができる。
【００６０】
（4-3）カバー本体８１の切り欠き８１４Ａは、カバー底面部８１４において、カバー本体８１の開口部分からカバー背面部８１３にかけて形成されているので、例えば、挿通部が表裏を貫通する貫通孔として構成されている場合と比較して、コネクタ群１５に接続された接続ケーブルをコネクタ群１５から取り外すことなく、外装ケース２に対してカバー部材８を着脱できる。したがって、利用者に煩雑な作業を実施させることなく、外装ケース２に対するカバー部材８の着脱をさらに容易に実施できる。
（4-4）カバー部材８の係合部材８２は、フック８２１、回動軸８２２およびレバー８２３を備え、レバー８２３の一部がカバー部材８の外部に露出するように形成されているので、外部からこのレバーを操作することで外装ケース２に対するカバー部材８の係合状態を変更できる。したがって、利用者にカバー部材８の着脱操作をさらに容易に実施させることができる。
【００６１】
（4-5）係合部材８２のレバー８２３は、その一部のみがカバー本体８１に露出するので、カバー部材８の外観を損なうことなく、すなわち、外装ケース２にカバー部材８を取り付けた場合でも、プロジェクタ１全体の外観を損なうことがない。
（4-6）カバー部材８では、係合部材８２は、カバー上面部８１１に配置される。そして、係合片８１４Ｂは、係合部材８２の配置位置と対向するカバー底面部８１４の辺縁に形成されている。このことにより、係合部材８２による外装ケース２への係合状態を確実に維持でき、外装ケース２に対するカバー部材８の取り付けを確実に実施できる。
【００６２】
（4-7）カバー本体８１のカバー底面部８１４は、投写方向の後方側に向かうに従って、カバー本体８１の厚みを低減するテーパ状に形成されているので、調整脚部１９を調整し、例えば、プロジェクタ１の投写方向を上方側にするようにプロジェクタ１を傾斜した場合であっても、カバー部材８がプロジェクタ１の設置面（机等）に干渉することを回避できる。
（4-8）カバー本体８１には、凹部８１２Ｂが形成されているので、外装ケース２にカバー部材８が取り付けられている状態であっても、受光部３０は、リモートコントローラの操作信号を確実に受信できる。
【００６３】
（4-9）カバー本体の開口部分の辺縁には、複数の突起部８１Ａが形成されているので、外装ケース２と所定の隙間を空けてカバー部材８を取り付けることができる。したがって、カバー部材８は外装ケース２の背面形状に対応でき、外装ケース２の外面とカバー部材８との外面を略面一にして、プロジェクタ１全体の外観を良好に維持できる。
（4-10）カバー部材８の係合部材８２は、フック８２１にて外装ケース２と係合するので、外装ケース２には、フック８２１と係合する係合部１１３Ａをもうけておけばよく、カバー部材８を使用しない場合であっても、プロジェクタ１の外観を損なうことがない。
（4-11）外装ケース２には、カバー部材８の係合片８１４Ｂと係合する係合部２６を備え、この係合部２６は、外装ケース２の筐体底面部１２Ａの下面に形成されているので、係合部２６は、プロジェクタ１と該プロジェクタ１の設置面（机等）の間に位置し、外部に対して隠れた状態となる。したがって、カバー部材８の使用・不使用に限らず、プロジェクタ１の外観を良好に維持できる。
【００６４】
（５）実施の形態の変形
尚、本発明は、前記実施の形態に限定されるものではなく、以下に示すような変形をも含むものである。
前記実施の形態では、係合部材８２およびコイルばね８３は、カバー本体８１のカバー上面部８１１に設置される構成を説明したが、これに限らず、カバー本体８１のカバー側面部８１２に設置してもよい。また、係合部材８２およびコイルばね８３は、それぞれ一つのみの構成を説明したが、これに限らず、２つ以上の係合部材８２およびコイルばね８３を備えた構成を採用してもよい。
例えば、係合部材８２およびコイルばね８３をカバー本体８１のカバー側面部８１２のそれぞれに設置する構成では、係合部材８２は、互いに逆となる係合方向で外装ケース２と係合するので、係合状態が強固となり、カバー部材８を外装ケース２に確実に取り付けることができる。
また、例えば、一つの係合部材８２に対して２つ以上のコイルばね８３を備えた構成では、係合部材８２を外装ケース２に付勢する付勢力が増加し、係合部材８２の係合状態が強固となり、カバー部材８を外装ケース２に確実に取り付けることができる。
【００６５】
前記実施の形態では、付勢部材としてコイルばね８３を用いた構成を説明したが、これに限らない。例えば、板ばね、ゴム等を採用し、これらの付勢力により係合部材８２を付勢する構成を採用してもよい。
前記実施の形態では、外装ケース２に取り付けられる蓋部材１１３内部には、ＬＡＮボード等の拡張基板を挿入することができるように構成されていたが、これに限らない。例えば、図１７に示すように、電波、光、赤外線、および、Bluetooth等の無線伝送方式にて情報を送受信するＩＣカード１１３Ｂ等を蓋部材１１３に着脱自在とする構成を採用してもよい。
このような構成では、カバー部材８を外装ケース２に取り付けた状態であっても、カバー本体８１のカバー上面部８１１の凸部８１１Ａとカバー側面部８１２との間に形成されるくぼみにより、ＩＣカード１１３Ｂを容易に着脱できる。
【００６６】
前記実施の形態では、コイルばね８３は、係合部材８２の回動軸８２２Ａにおいて、フック８２１の幅方向中央部分に延出する延出部分に該回動軸８２２Ａと同軸となるように設置されていたが、これに限らない。係合部材８２のフック８２１を係合部１１３Ａに向けて付勢すればよく、例えば、回動軸８２２Ａにおける設置部８１１Ｃ方向への延出部分に設置してもよい。
【００６７】
前記実施の形態では、三つの液晶パネルを用いたプロジェクタ１を説明したが、これに限らない。例えば、一つの液晶パネルのみを用いたプロジェクタ、二つの液晶パネルを用いたプロジェクタ、あるいは、四つ以上の液晶パネルを用いたプロジェクタのも適用可能である。
前記実施の形態では、平面視略Ｕ字状の光学ユニット４に本発明を採用していたが、これに限らず、平面視略Ｌ字状の光学ユニット４に本発明を採用してもよい。
前記実施の形態では、光変調素子として液晶パネルを用いたが、マイクロミラーを用いたデバイスなど、液晶以外の光変調素子を用いてもよい。
前記実施の形態では、光入射面と光射出面とが異なる透過型の光変調素子を用いたが、光入射面と光射出面とが同一となる反射型の光変調素子を用いてもよい。
前記実施の形態では、スクリーンを観察する方向から投写を行うフロントタイプのプロジェクタの例のみを説明したが、本発明では、スクリーンを観察する方向とは反対側から投写を行うリアタイプのプロジェクタにも適用可能である。
【図面の簡単な説明】
【図１】本発明の実施形態に係るプロジェクタの外観構成を表す概要斜視図。
【図２】前記実施形態におけるプロジェクタの外観構成を表す概要斜視図。
【図３】前記実施形態におけるプロジェクタの内部構成を表す概要斜視図。
【図４】前記実施形態におけるプロジェクタの内部構成を表す概要斜視図。
【図５】前記実施形態におけるプロジェクタの内部構成を表す概要斜視図。
【図６】前記実施形態における光学ユニットを収納するライトガイドの構造を表す概要斜視図。
【図７】前記実施形態における光学ユニット構造を表す模式図。
【図８】前記実施形態における光学装置の構造を表す概要斜視図。
【図９】前記実施形態における冷却流路を表す概要斜視図。
【図１０】前記実施形態における電子機器筐体用カバーとしてのカバー部材の概略構成図。
【図１１】前記実施形態における電子機器筐体用カバーとしてのカバー部材の概略構成図。
【図１２】前記実施形態における係合部材および付勢部材としてのコイルばねとカバー本体との配置を模式的に示す図。
【図１３】前記実施形態における電子機器筐体としての外装ケースへのカバー部材の取付を説明する図。
【図１４】前記実施形態における電子機器筐体としての外装ケースへのカバー部材の取付を説明する図。
【図１５】前記実施形態における外装ケースとカバー部材との接続状態を示す図。
【図１６】前記実施形態における外装ケースにカバー部材を取り付けた状態でのカバー部材と受光部との配置関係を説明する図。
【図１７】前記実施形態の変形例を示す図。
【符号の説明】
１・・・プロジェクタ、２・・・外装ケース（電子機器筐体）、３・・・投写レンズ（投写光学系）、８・・・カバー部材（電子機器筐体用カバー）、１５・・・コネクタ群（接続端子）、２６・・・係合部、３０・・・受光部（情報取得部）、８１・・・カバー本体、８１Ａ・・・突起部、８２・・・係合部材、８３・・・コイルばね（付勢部材）、１１３Ａ・・・係合部、４１１…光源装置（光源）、４４１Ｒ、４４１Ｇ、４４１Ｂ…液晶パネル（光変調装置）、８１４Ａ・・・切り欠き（挿通部）、８１２Ｂ・・・凹部、８１４Ｂ・・・係合片、８２１・・・フック、８２３・・・レバー。
【図１】
2004207400.tif 000003
【図２】
2004207400.tif 000004
【図３】
2004207400.tif 000005
【図４】
2004207400.tif 000006
【図５】
2004207400.tif 000007
【図６】
2004207400.tif 000008
【図７】
2004207400.tif 000009
【図８】
2004207400.tif 000010
【図９】
2004207400.tif 000011
【図１０】
2004207400.tif 000012
【図１１】
2004207400.tif 000013
【図１２】
2004207400.tif 000014
【図１３】
2004207400.tif 000015
【図１４】
2004207400.tif 000016
【図１５】
2004207400.tif 000017
【図１６】
2004207400.tif 000018
【図１７】
2004207400.tif 000019